(57)【要約】      （修正有）【課題】室内・室外の壁や玄関扉、テーブルや机、棚等の卓上に安定して設置でき、しかも強度や美観が低下することのない収納機能付装飾品及び収納機能付装飾品の基台の提供。【解決手段】中実材を環状にしてなる基台２を備える装飾品１であって、前記基台２の表面に装飾部材を装着するとともに、前記基台２に物品５が内蔵できる収納部６を形成することを特徴とする収納機能付装飾品である。【選択図】図２
2016019709.tif 000002
【特許請求の範囲】
【請求項１】
中実材を環状にしてなる基台を備える装飾品であって、前記基台の外面に装飾部材を装着するとともに、前記基台に物品が内蔵できる収納部を形成することを特徴とする収納機能付装飾品。
【請求項２】
前記基台の上部に吊掛け手段を設け、前記基台の下部に前記収納部を配置することを特徴とする請求項１記載の収納機能付装飾品。
【請求項３】
前記収納部には前記物品の着脱が可能な開口を設けることを特徴する請求項１または２記載の収納機能付装飾品。
【請求項４】
中実材を環状にしてなり、物品が内蔵できるように形成された収納部を有することを特徴とする収納機能付装飾品の基台。
【発明の詳細な説明】
【技術分野】
【０００１】  この発明は、室内・室外の壁や玄関扉に掛けたり、テーブルや机、棚等の卓上等に置くことのできる収納機能付装飾品に関する。
【背景技術】
【０００２】  従来、快適な生活環境をつくるため、住宅やオフィス、店などあらゆる場面で装飾を設置することが多用されており、特に、クリスマスや、ハロウィンの季節になると室内・室外の壁や玄関扉に生花とか、造花等のリースを飾ることが行われている。
最近はこのようなリースをクリスマスやハロウィンだけでなく、季節やイベント毎のデザインとして一年中飾り楽しむようにしているため、生花、造花等を飾り付けるだけでなく、また、単調な視覚だけで楽しむ以外にも、効能、機能を持たせるため、他の物品を装着したくなる。【０００３】  そこで、特許文献１のように壁掛け用フックを取り付けたリング・ピロー外縁ワイヤーに生花や造花を装着し、さらに、中央のクッション部材部分に指輪を保持し、リング・ピローの挙式後の利用を可能としているものがある。
【先行技術文献】
【特許文献】
【０００４】
【特許文献１】実用新案登録第３１１４２２８号公報
【発明の概要】
【発明が解決しようとする課題】
【０００５】  上記のこのような装飾品では、次のような課題が存在していた。
すなわち、リング・ピローの中央のクッション部材部分は周囲の生花や造花の大きさに影響され、広い空間を確保できず、指輪のような小物のみを保持することになる。【０００６】  しかも、指輪が落下しないように指輪を固定するフックは側面が輪状で２つの球体がついていて、この形状にすることで指輪を固定する際、衝撃等による指輪の落下を防ぐことができるが、固定構造が複雑になり、指輪を固定してリング・ピローを壁に掛けると、下向きに傾き易くなるという難点がある。【０００７】  この発明は、以上のような課題を解決するためになされたもので、装飾品に種々の物品が収納でき、しかも、物品を収納した装飾品を室内・室外の壁や玄関扉に掛けたり、テーブルや机、棚等の卓上に置いても、装飾品が傾くことがなく、安定した状態にでき美観が向上し、快適な生活環境を確保できる。
【課題を解決するための手段】
【０００８】  上述した課題を解決し、かつ目的を達成するために、この発明は以下のように構成した。【０００９】  請求項１に記載の発明は、中実材を環状にしてなる基台を備える装飾品であって、前記基台の表面に装飾部材を装着するとともに、前記基台に物品が内蔵できる収納部を形成することを特徴とする収納機能付装飾品である。【００１０】  請求項２に記載の発明は、前記基台の上部に吊掛け手段を設け、前記基台の下部に前記収納部を配置することを特徴とする請求項１記載の収納機能付装飾品である。【００１１】  請求項３に記載の発明は、前記収納部には前記物品の着脱が可能な開口を設けることを特徴する請求項１または２記載の収納機能付装飾品である。【００１２】  請求項４に記載の発明は、中実材を環状にしてなり、物品が内蔵できるように形成された収納部を有することを特徴とする収納機能付装飾品の基台である。
【発明の効果】
【００１３】  前記の構成により、この発明は以下の効果を有する。【００１４】  請求項１に記載の発明においては、中実材を環状にしてなる装飾品であって、この装飾品の基台の表面に装飾部材を装着するとともに、前記基台に物品が内蔵できる収納部を形成するので、前記収納部に内蔵される前記物品が前記基台の表面から突出しなく、前記装飾品を室内・室外の壁や玄関扉に掛けたり、テーブルや机、棚等の卓上に置いても、傾くことがなく安定した状態になり美観が向上する。【００１５】  請求項２に記載の発明においては、前記基台の上部に吊掛け手段を設け、前記基台の下部に前記収納部を配置するので、前記物品を前記収納部に内蔵すると、前記装飾品の重心位置が下方になり、横揺れを抑制でき、安定して吊り下げられる。もしくは、前記基台の左右に前記収納用凹部をバランス良く配置することによって、安定して吊り下げられる。【００１６】  請求項３に記載の発明においては、前記収納部には前記物品の着脱が可能な開口を設けるので、前記収納部に内蔵する前記物品を防虫剤及び消臭・芳香剤等にすると、それぞれの各成分の気体を前記開口より外気中に発散させることができ、また、前記物品を電池にすると、前記開口より接続コードの引き出しが容易にできる。【００１７】  請求項４に記載の発明においては、中実材を環状にしてなり、物品が内蔵できるように形成された収納部を有する装飾品の基台なので、前記収納部を形成しても強度が低下することがなく、しかも、合成樹脂製にすると軽量化でき、持ち運びが容易になる。
【図面の簡単な説明】
【００１８】
【図１】この発明における収納機能付装飾品を示す側面図。
【図２】この発明における収納機能付装飾品を示す背面図。
【図３】この発明における装飾品の基台の第１の実施の態様を示す断面図。
【図４】この発明における装飾品の基台の第２の実施の態様を示す断面図。
【図５】この発明における装飾品の基台の第３の実施の態様を示す断面図。
【図６】この発明における装飾品の基台の第４の実施の態様を示す断面図。
【発明を実施するための形態】
【００１９】  以下、この発明の収納機能付装飾品の実施の形態について説明する。この発明の実施の形態は、発明の最も好ましい形態を示すものであり、この発明はこれに限定されない。
【００２０】  この発明の実施の形態を、図１及び図２に基づいて説明する。図１は室内・室外の壁や玄関扉に吊るす装飾品１の全体形状の側面を示すもので、符号２は、中実材を円形の環状にしてなる基台である。この基台２は中実材で強度が確保でき、しかも、軽量化を図るために、断面半円形状にするとともに、発砲スチロールや発泡ウレタンフォーム等の合成樹脂製にしたが、断面半円形状を断面円形状または断面楕円形状、断面多角形状等どんな形状にしてもよい。
【００２１】  前記基台２の上部に吊掛け手段３を取り付け、この吊掛け手段３を室内・室外の壁や玄関扉に掛けて前記装飾品１を吊るす。なお、前記基台１を円形の環状にしたが、ハート形とか、星形等の環状でもよい。
【００２２】  前記基台２の円弧状の外面の表面２ａには装飾部材４が装着され、この装飾部材４は花、葉等の生花とか、貝殻やサンゴ、花、葉を加工したドライフラワーやプリザーブドフラワー、あるいはプラスチック材等の造花よりなる。また、季節によってリボン、鈴、ラメやボールを付け加える前記装飾部材４にすることもある。
【００２３】  前記基台２の平坦状の外面の裏面２ｂには二つの凹状の収納部６が形成され、それぞれの前記収納部６に物品５が前記裏面２ｂから突出しないように前記収納部６に内蔵される。これにより、前記基台２を玄関扉や壁に掛けても、前記装飾品１が上下左右に傾くことがなく、美観を向上できる。
また、前記基台２から吊掛け手段３を取り去り、前記装飾品１を卓上やリーススタンドに設置しても、傾くことがなく、安定した状態にできる。
【００２４】  前記物品５を防虫剤や消臭剤・芳香剤にして、室内とか玄関に害虫が近寄らないようにするとともに、室内や玄関まわりの悪臭を除去して周囲をよい香りにする。また、前記物品５を筒型やボタン型の乾電池等にすると、装飾部材４に付けた電飾や照明、スピーカー、防犯カメラ等の、さまざまな用途の電源になる。このように、前記物品５が種々あるので、前記基台２の強度を考慮して、前記収納部６を一つでも複数にしてもよい。
【００２５】  また、前記収納部６は吊掛け手段３のある前記基台２の上部に対して、前記基台２の下部に配置し、前記物品５を前記収納部６に内蔵すると、前記装飾品１の重心位置が下がり、前記装飾品１の横揺れを抑制でき、安定して吊り下げられる。さらに、前記基台２の左右に前記収納用部６をバランス良く配置することによって、前記物品５を前記収納部６に内蔵すると、安定して吊り下げられる。
【００２６】  図３に基づいて、前記装飾品１の前記基台２の第１の実施の形態を説明する。
この第１の実施の形態では、前記基台２の凹状の前記収納部６には物品５の着脱が可能な開口６ａを設け、この開口６ａは前記基台２の裏面２ｂ側と内周側との二方向に位置している。
【００２７】  前記収納部６に内蔵する前記物品５を防虫剤及び消臭・芳香剤にすると、それぞれの各成分の気体が前記開口６ａより外気中に発散することになり、また、前記物品５を電池にすると、前記開口６ａより電池の接続コードを引き出すことができる。
【００２８】  前記収納部６の底面と前記物品５との間に粘着テープとか面ファスナー、あるいはマグネット等の固着部材７を介在して、前記物品５が前記収納部６から脱落しないようにする。また、前記収納部６の前記開口６ａに開閉自在な柵、フェンス等の蓋を設けて前記物品５が脱落しないようにしてもよい。
【００２９】  次に、前記装飾品１の前記基台２の第２の実施の形態を、図４に基づいて説明する。この実施の形態において第１の実施の形態と同じ構成は同一の符号を付して説明する。
【００３０】  この第２の実施の形態では、凹状の前記収納部６の開口６ｂを前記基台２の内周と外周及び前記裏面２ｂとの三方向に位置させる。これにより、前記基台２を射出成型により加工する際、前記収納部６の形成を容易にする。
なお、前記開口６ｂの位置が三方向になるので、前記部品５が脱落しないように前記固着部材７を用いても良い。
【００３１】  また、前記装飾品１の前記基台２の第３の実施の形態を、図５に基づいて説明する。この実施の形態において第１の実施の形態と同じ構成は同一の符号を付して説明する。
【００３２】  この第３の実施の形態では、凹状の前記収納部６の開口６ｃを前記裏面２ｂのみに位置させるので、前記収納部６の周壁があることになり、前記基台２の強度が低下しないし、物品５を前記収納部６の周壁に密接するように嵌合すれば、前記固着部材７を介在させなくともよくなる。
【００３３】  さらに、前記装飾品１の前記基台２の第４の実施の形態を、図６に基づいて説明する。この実施の形態において第１の実施の形態と同じ構成は同一の符号を付して説明する。
【００３４】  この第４の実施の形態では、前記収納部６を貫通孔状にとし、前記基台２の裏面２ｂの開口６ｄより前記物品５を挿入して前記収納部６内に前記物品５を内蔵する。この貫通孔状の前記収納部６は両端開口なので、前記貫通孔状の周壁と前記物品５との間に前記固着部材７を介在して前記物品５が前記収納部６から脱落しないようにする。なお、前記物品５は前記基台２の前記表面２ａからでも挿入できるような大きさの貫通孔状でもよい。
【００３５】  なお、第１の実施の態様の凹状の収納部６、第２の実施の態様の凹状の前記収納部６、第３の実施態様の凹状の前記収納部６及び第４の実施の態様の貫通孔状の前記収納部６のそれぞれの周壁を傾斜面α（図４では図示せず）にし、前記物品５を挿入し易くするとともに、前記基台２を射出成型する際の前記収納部６の型抜きを容易にする。
【００３６】  以上の構成によるこの発明の収納機能付装飾品において、前記収納部６に内蔵され前記物品５が前記基台２から突出しなく、前記装飾品１を室内・室外の壁や玄関扉に掛けても上下左右に傾くことがなく、また、前記装飾品１をテーブルや机、棚等の卓上に置いても傾くことがなく、またリーススタンドに置いても傾くことがなく、安定した状態にでき美観が向上する。
【００３７】  また、前記基台２の上部に吊掛け手段３を設け、前記基台２の下部に前記収納部６を配置し、前記物品５を前記収納部６に内蔵すると、前記装飾品１の重心位置が下方になり、横揺れを抑制でき、安定して吊り下げられる。もしくは、前記基台２の左右に前記収納用凹部６をバランス良く配置することによって、前記物品５を前記収納凹部６に内蔵すると、安定して吊り下げられる。
【００３８】  さらに、前記収納部６に内蔵する前記物品５を防虫剤及び消臭・芳香剤等にすると、それぞれの各成分の気体を前記開口６ａ、６ｂ、６ｃ、６ｄより空気中に発散させることができ、また、前記物品５を電池にすると、前記開口６ａ、６ｂ、６ｃ、６ｄより接続コードの引き出しが容易にでき、美観向上になる。
【００３９】  前記基台２を環状の中実材とし、これに前記収納部６を形成することにより、前記基台２の強度の低下を避けながら、しかも、中実材で前記基台２が重くなるが、これを合成樹脂製にすることで軽量化でき、持ち運びが容易になる。
【産業上の利用可能性】
【００４０】  室内・室外の壁や玄関扉、テーブルや机、棚等の卓上等に装飾品が美観よく設置され、さらに今までの単調な視覚だけでリースを楽しむだけでなく、他の効能・機能を安易に付け加えることで用途やデザインの幅が広がり、生活環境を向上させることができる。
【符号の説明】
【００４１】１  装飾品
２  基台
２ａ  表面
２ｂ  裏面
３  吊掛け手段
４  装飾部材
５  物品
６  収納部
６ａ、６ｂ、６ｃ、６ｄ  開口
７  固着部材
α  傾斜面
【図１】
2016019709.tif 000003
【図２】
2016019709.tif 000004
【図３】
2016019709.tif 000005
【図４】
2016019709.tif 000006
【図５】
2016019709.tif 000007
【図６】
2016019709.tif 000008